(57)【特許請求の範囲】
【請求項１】
電解質膜を有する燃料電池と、前記燃料電池に供給されるガスが流れるガス流路と、を有する燃料電池システムにおいて、
前記ガス流路の内部に配置された温度センサと、
前記燃料電池の運転停止時に前記ガス流路に乾燥ガスを供給する乾燥ガス供給手段と、
乾燥ガスの供給に伴う前記温度センサの検出温度の変化に基づいて前記電解質膜の湿潤状態を判断する湿潤状態判断手段とを備え、
前記湿潤状態判断手段は、乾燥ガスの供給により前記温度センサの検出温度が低下していき、やがて前記温度センサの検出温度の単位時間当たりの低下率が所定値よりも小さくなったら前記電解質膜が適正な湿潤状態になったものと判断することを特徴とする燃料電池システム。
【請求項２】
前記燃料電池における水分の気化が生じない部位の温度を参照温度として取得し、前記参照温度によって前記温度センサの検出温度を補正する温度補正手段をさらに備えることを特徴とする請求項１に記載の燃料電池システム。
【請求項３】
前記乾燥ガス供給手段は、前記湿潤状態判断手段により前記電解質膜が適正な湿潤状態になったものと判断されたら乾燥ガスの供給を停止することを特徴とする請求項１又は２に記載の燃料電池システム。
【請求項４】
電解質膜を有する燃料電池と、前記燃料電池に供給されるガスが流れるガス流路と、を有する燃料電池システムにおいて、
前記ガス流路の出口側に配置された温度センサと、
前記燃料電池の運転停止時に前記ガス流路に乾燥ガスを供給する乾燥ガス供給手段と、
乾燥ガスの供給に伴う前記温度センサの検出温度の変化に基づいて前記電解質膜の湿潤状態を判断する湿潤状態判断手段とを備え、
前記湿潤状態判断手段は、乾燥ガスの供給により前記温度センサの検出温度が低下し、その低下量が所定値よりも大きくなったら前記電解質膜が適正な湿潤状態になったものと判断することを特徴とする燃料電池システム。
【請求項５】
前記燃料電池における水分の気化が生じない部位の温度を参照温度として取得し、前記参照温度によって前記温度センサの検出温度を補正する温度補正手段をさらに備えることを特徴とする請求項４に記載の燃料電池システム。
【請求項６】
前記乾燥ガス供給手段は、前記湿潤状態判断手段により前記電解質膜が適正な湿潤状態になったものと判断されたら乾燥ガスの供給を停止することを特徴とする請求項４又は５に記載の燃料電池システム。
【発明の詳細な説明】
【技術分野】
【０００１】
本発明は、電解質膜を有する燃料電池を用いて発電する燃料電池システムに関し、特に、電解質膜の湿潤状態の判断技術に関する。
【背景技術】
【０００２】
近年、電気自動車の電源として燃料電池が注目されている。燃料電池は、固体高分子膜等の電解質膜を挟んでアノードとカソードが配置された構造を有し、アノードに水素を含む燃料ガスが接触しカソードに空気などの酸素を含む酸化ガスが接触することにより両電極で電気化学反応が起こり、起電力が発生する仕組みになっている。その際、カソードでは、アノード側から電解質膜を透過してきた水素イオンと酸素が反応して水が生成される。反応により生成された水は、燃料電池の運転時にはカソードオフガスに含まれて大気中に放出されるが、燃料電池の運転停止時には、燃料電池内のガス流路やカソードの拡散層、触媒層に残留する。車載用燃料電池システムの場合、使用環境が氷点下になることも想定される。このため、燃料電池内に残留水が存在する状態で長時間放置されると、氷点下での残留水の凍結によって燃料電池の始動性能を悪化させてしまう可能性がある。
【０００３】
残留水の凍結による始動性能の悪化を防止するためには、燃料電池の停止時に乾燥空気をカソードに導入する等して燃料電池内の不要な水分を除去してやればよい。ただし、燃料電池は電解質膜が過剰乾燥状態になってしまうと内部抵抗の増大によって出力が低下するため、安定した性能を得るためには電解質膜を常に適度な湿潤状態に保持しておかなければならない。このような課題に対する解決策としては、例えば、特許文献１に記載される技術がある。この従来技術では、燃料電池への乾燥空気の供給時に燃料電池の入口部の露点と出口部の露点を計測し、その差が所定値よりも小さくなったら燃料電池内から十分に水分が除去されたものと判断して乾燥空気の供給を停止することで、電解質膜の過剰乾燥の防止を図っている。
【特許文献１】特開２００２−３４３３９８号公報
【特許文献２】特開２００２−２０８４２１号公報
【発明の開示】
【発明が解決しようとする課題】
【０００４】
しかしながら、上記の従来技術のように入口部と出口部の露点の差から電解質膜の湿潤状態を判断する手法では、電解質膜の湿潤状態を正確に判断することは困難である。燃料電池に乾燥空気を導入すると、燃料電池の内部は入口側から次第に乾燥していき燃料電池内の乾燥具合にはむらができる。燃料電池内に水分が十分にある場合には、一部が乾燥しても空気の露点は変化しないため、出口部の露点が変化するのは出口部が乾燥し始めてからになる。このため、入口部と出口部の露点の差が所定値よりも小さくなったときには、燃料電池の入口側の電解質膜は既に過剰乾燥状態になっている可能性がある。電解質膜の湿潤状態を適正に保つためには、現時点における電解質膜の湿潤状態を正確に判断することが重要であり、そのためには、燃料電池内での乾燥の進行状況を正確に検出し、それに基づいて湿潤状態を判断する必要がある。
【０００５】
本発明は、上述のような課題を解決するためになされたもので、燃料電池の電解質膜の湿潤状態を正確に判断できるようにした燃料電池システムを提供することを目的とする。
【課題を解決するための手段】
【０００６】
第１の発明は、上記の目的を達成するため、電解質膜を有する燃料電池と、前記燃料電池に供給されるガスが流れるガス流路と、を有する燃料電池システムにおいて、
前記ガス流路の内部に配置された温度センサと、
前記燃料電池の運転停止時に前記ガス流路に乾燥ガスを供給する乾燥ガス供給手段と、
乾燥ガスの供給に伴う前記温度センサの検出温度の変化に基づいて前記電解質膜の湿潤状態を判断する湿潤状態判断手段とを備え、
前記湿潤状態判断手段は、乾燥ガスの供給により前記温度センサの検出温度が低下していき、やがて前記温度センサの検出温度の単位時間当たりの低下率が所定値よりも小さくなったら前記電解質膜が適正な湿潤状態になったものと判断することを特徴としている。
【０００７】
第２の発明は、第１の発明において、前記燃料電池における水分の気化が生じない部位の温度を参照温度として取得し、前記参照温度によって前記温度センサの検出温度を補正する温度補正手段をさらに備えることを特徴としている。
【０００８】
第３の発明は、第１又は第２の発明において、前記乾燥ガス供給手段は、前記湿潤状態判断手段により前記電解質膜が適正な湿潤状態になったものと判断されたら乾燥ガスの供給を停止することを特徴としている。
【０００９】
第４の発明は、電解質膜を有する燃料電池と、前記燃料電池に供給されるガスが流れるガス流路と、を有する燃料電池システムにおいて、
前記ガス流路の出口側に配置された温度センサと、
前記燃料電池の運転停止時に前記ガス流路に乾燥ガスを供給する乾燥ガス供給手段と、
乾燥ガスの供給に伴う前記温度センサの検出温度の変化に基づいて前記電解質膜の湿潤状態を判断する湿潤状態判断手段とを備え、
前記湿潤状態判断手段は、乾燥ガスの供給により前記温度センサの検出温度が低下し、その低下量が所定値よりも大きくなったら前記電解質膜が適正な湿潤状態になったものと判断することを特徴としている。
【００１０】
第５の発明は、第４の発明において、前記燃料電池における水分の気化が生じない部位の温度を参照温度として取得し、前記参照温度によって前記温度センサの検出温度を補正する温度補正手段をさらに備えることを特徴としている。
【００１１】
第６の発明は、第４又は第５の発明において、前記乾燥ガス供給手段は、前記湿潤状態判断手段により前記電解質膜が適正な湿潤状態になったものと判断されたら乾燥ガスの供給を停止することを特徴としている。
【発明の効果】
【００１２】
水分が気化する際には熱が必要となり、気化した水分の量に応じてガス流路内の温度は変化する。したがって、本発明によれば、乾燥ガスの供給に伴う温度センサの検出温度の変化を電解質の湿潤状態を判断するための指標とすることで、気化した水分量を正確に把握することができ、電解質の湿潤状態を正確に判断することが可能になる。
【発明を実施するための最良の形態】
【００１３】
以下、図１乃至図４を参照して、本発明の実施の形態について説明する。
図１は、本発明の実施の形態１としての燃料電池システムの全体を示す概略構成図である。本燃料電池システムは、燃料電池自動車に搭載される車両用燃料電池システムとして構成されている。ただし、他の用途の燃料電池システムへの適用も勿論可能である。
【００１４】
燃料電池自動車は図示しないモータを原動機として搭載しており、モータの駆動用電源として燃料電池１が搭載されている。燃料電池１は、燃料電池セルが複数枚積層されたスタック構造を有している。各燃料電池セルは、図示は省略するが、プロトン伝導性の電解質膜の両側を触媒電極であるアノード及びカソードで挟まれ、さらにその両側を導電性のセパレータによって挟まれて構成されている。セパレータとアノードとの間には水素が流れる水素流路１ａが形成され、セパレータとカソードとの間には空気が流れる空気流路１ｂが形成されている。
【００１５】
燃料電池１には、水素流路１ａに水素を供給するための水素供給管１０と水素流路１ａからアノードオフガスを排出するためのオフガス排気管１４が接続されている。水素供給管１０の上流端は高圧水素タンク１６に接続され、高圧水素タンク１６と燃料電池１との間には調圧弁１１が配置されている。高圧水素タンク１６から供給される水素は調圧弁１１で減圧され所望の圧力に調整されてから燃料電池１に供給される。アノードで消費されなかった水素は、カソード側から透過してきたエアとともに、アノードオフガスとして水素流路１ａからオフガス排気管１４に排気される。オフガス排気管１４にはパージ弁１５が配置されるとともに、パージ弁１５の上流側ではオフガス排気管１４から分岐して水素循環管１３が接続されている。水素循環管１３は、水素供給管１０における調圧弁１１の下流側にエジェクタ等の水素循環装置１２を介して接続されており、アノードオフガスは水素循環装置１２を介して再び水素供給管１０に送り出される。パージ弁１５は所定のタイミングで開かれ、パージ弁１５が開くことで循環系内に滞留している窒素等の不純物が外部に放出されるようになっている。
【００１６】
また、燃料電池１には、空気流路１ｂに空気を供給するための空気供給管３と空気流路１ｂからカソードオフガスを排出するためのオフガス排気管６が接続されている。空気供給管３には空気コンプレッサ２が配置されており、空気コンプレッサ２の作動によって外部から空気供給管３に空気が取り込まれ空気流路１ｂに供給される。オフガス排気管６は大気開放され、その管路の途中には空気圧を調整するための調圧弁８が設けられている。オフガス排気管６の調圧弁８よりも上流側と空気供給管３の空気コンプレッサ２よりも下流側とは加湿器７によって接続されている。カソードオフガスに含まれる水分の一部は加湿器７により回収され、空気流路１ｂに供給される空気に付与される。空気供給管３には、加湿器７を迂回する空気バイパス管４が加湿器７と並列に接続されている。空気バイパス管４にはバイパス弁５が設けられており、バイパス弁５が閉じているときには加湿器７を通った空気が空気流路１ｂに供給され、バイパス弁５が開いているときには、より圧力損失の低い空気バイパス管４側を通った空気が空気流路１ｂに供給される。
【００１７】
本燃料電池システムは、燃料電池１の運転を制御する制御装置２０を備えている。制御装置２０は空気コンプレッサ２、バイパス弁５、調圧弁８，１１、パージ弁１５等の機器を総合制御することで、燃料電池１の運転を制御している。まず、通常運転時には、制御装置２０は、高圧水素タンク１６から水素を供給するとともに、バイパス弁５を閉じた状態で空気コンプレッサ２を作動させ、加湿器７を通った湿り空気を空気流路１ｂに供給する。空気コンプレッサ２の回転数は燃料電池１の発電負荷に応じて制御され、アイドルのような低負荷時には小流量になるように、高負荷時には大流量になるように制御される。空気と水素の供給を受けて燃料電池１の各単セルでは発電が行われ、特にカソードでは、アノード側から電解質膜を透過してきた水素イオンと空気中の酸素が反応して水が生成される。
【００１８】
燃料電池１は高温（比較的低温で運転される固体高分子型燃料電池でも約８０℃）で運転されるので、生成された水の多くは蒸発して水蒸気となり、カソードオフガスに含まれて空気流路１ｂからオフガス排気管６に排気される。しかし、一部の生成水は空気流路１ｂ内に残留する。空気流路１ｂ内に水が残留した状態で運転を停止すると、氷点下まで気温が下がった場合には残留した水が凍り、次回始動時における燃料電池１の始動性を悪化させてしまう。
【００１９】
このため、制御装置２０は、運転停止時には、高圧水素タンク１６からの水素供給を停止するとともに、空気コンプレッサ２を作動させたままバイパス弁５を開く。バイパス弁５が開かれることで、加湿器７を通らずに空気バイパス管４を通った乾燥空気が空気流路１ｂに供給される。乾燥空気が供給されることで空気流路１ｂ内の残留水は気化していき、余分な水分は除去されていく。ただし、過剰に乾燥空気を供給してしまうと、空気流路１ｂ内の余分な水分のみならず電解質膜に含まれる必要な水分も除去されてしまう。そこで、制御装置２０は、電解質膜の過剰乾燥を防止すべく、以下に説明するような方法によって電解質膜の湿潤状態を判断する。
【００２０】
図２Ａ，図２Ｂは乾燥空気の供給開始からの燃料電池１の所定部位の温度変化を示したグラフである。燃料電池１には、二つの温度センサ２２，２４が設置されている。一方の温度センサ２２は空気流路１ｂに設置され、他方の温度センサ２４は空気流路１ｂの温度変化の影響を受けない部位（例えば、ターミナルプレート）に設置されている。制御装置２０には、これら温度センサ２２，２４から各設置部位において検出された温度情報が供給される。各図中、実線が空気流路１ｂに設置された温度センサ２２の検出温度Ｔ１であり、破線が空気流路１ｂの温度変化の影響を受けない部位に設置された温度センサ２２の検出温度Ｔ２である。
【００２１】
各図に示す空気流路１ｂの温度の変化は、空気流路１ｂ内の水分の気化により消費される熱量の変化を示している。乾燥空気の供給により空気流路１ｂ内の水分は気化するが、水分が気化する際には気化熱が必要となるため、気化した水分の量に応じて周囲から熱が奪われる。熱が奪われることで空気流路１ｂの温度は低下し、その低下温度は気化に伴う熱の消費量にほぼ比例する。したがって、空気流路１ｂの温度変化から水分の気化により消費される熱量の変化を検出することができ、ひいては電解質膜の湿潤状態を判断することができる。具体的には、例えば図２Ａのグラフからは、空気流路１ｂの温度は乾燥空気の供給開始後、直ぐに低下し始め、温度の低下が進むとやがてその低下速度が遅くなることが分かる。空気流路１ｂの温度が低下するのは水分の気化に伴う熱の消費によるものであり、温度の低下が始まったことは水分の気化、すなわち、空気流路１ｂ内の乾燥が始まったことを示している。また、温度の低下速度が遅くなったのは消費される熱量が減少したからであり、空気流路１ｂ内の乾燥が進んだことを示している。
【００２２】
なお、図２Ａに示す空気流路１ｂの温度変化と図２Ｂに示す空気流路１ｂの温度変化との違いは、温度センサ２２の設置場所の違いによるものである。図１では空気流路１ｂの中央に温度センサ２２を設置しているが、空気流路１ｂの入口側に温度センサ２２を設置した場合には、その検出温度は図２Ａに示すような変化を示し、空気流路１ｂの出口側に温度センサ２２を設置した場合には、その検出温度は図２Ｂに示すような変化を示す。これは、乾燥空気が導入される入口側から空気流路１ｂの乾燥が進むため、水分の気化による温度低下も入口側から始まることによる。
【００２３】
制御装置２０は、このように空気流路１ｂの温度の変化から判断される電解質膜の湿潤状態に基づき、乾燥空気の供給／停止を行う。図３及び図４は制御装置２０により実行される乾燥空気の供給／停止制御の手順を示すフローチャートである。空気流路１ｂの温度Ｔ１を検出する温度センサ２２の設置位置に応じて図３に示すルーチンと図４に示すルーチンの何れかが選択される。
【００２４】
まず。図３に示すルーチンについて説明する。図３に示すルーチンは、温度センサ２２が空気流路１ｂの入口側に設置されている場合に好適な制御ルーチンである。このルーチンでは、まず、空気コンプレッサ２を作動させたままバイパス弁５が開かれることで、加湿器７を通らない乾燥空気が燃料電池１の空気流路１ｂへ供給される（ステップ１００）。
【００２５】
次に、ステップ１０２において、各温度センサ２２，２４によるｉ回目の温度検出が行われ、検出された各温度Ｔ１i，Ｔ２iはメモリに記憶される。メモリには、今回の検出温度Ｔ１i，Ｔ２iと前回の検出温度Ｔ１i-1，Ｔ２i-1が記憶され、それぞれの記憶内容は毎回更新される。なお、各温度センサ２２，２４による温度検出は、所定の周期で行われるようになっている。
【００２６】
次のステップ１０４では、今回の検出が１回目の検出であるか否か判定される。ステップ１０４の判定で１回目の検出であると判定されたときには、ステップ１１４に進んで検出回数ｉが１加算され、ステップ１０２に戻って各温度センサ２２，２４による次回の温度検出が行われる。
【００２７】
一方、ステップ１０４の判定で１回目の検出でないと判定されたときには、ステップ１０６の処理が行われる。ステップ１０６では、今回の各温度センサ２２，２４による検出温度Ｔ１i，Ｔ２i間の温度差ＴＴiと、前回の検出温度Ｔ１i-1，Ｔ２i-1間の温度差ＴＴi-1がそれぞれ算出される。温度差ＴＴを算出するのは、気化熱による温度変化量を正確に検出するためである。空気流路１ｂの温度Ｔ１は気化熱のみならず自然冷却によっても低下する。ここでは、発電停止後は燃料電池１の全体が一様に自然冷却されていくと仮定し、空気流路１ｂの温度Ｔ１から空気流路１ｂの温度変化の影響を受けない部位の温度Ｔ２を差し引いている。これにより、自然冷却による温度低下分が排除される。
【００２８】
次のステップ１０８では、ステップ１０６で算出された今回温度差ＴＴiと前回温度差ＴＴi-1の差ΔＴＴ（ΔＴＴ＝ＴＴi-1−ＴＴi）が算出される。そして、ステップ１１０では、その差ΔＴＴと所定値Ａが比較される。温度差ＴＴは気化熱による温度変化を示し、温度検出は所定の周期で行われているので、上記の差ΔＴＴは、気化熱による温度変化の所定周期あたりの変化率を示している。温度センサ２２が空気流路１ｂの入口側に設置されている場合、温度センサ２２により検出される温度Ｔ１は、図２Ａに示すような温度変化を示す。ステップ１１０では、図２Ａ中に示すように温度の変化率ΔＴＴが所定値Ａ以下になる時点ｔaを検出している。温度変化率ΔＴＴの低下は、温度センサ２２の設置部位における乾燥が進んだことで水分が減少し、気化に伴い消費される熱量が減少したことを意味している。
【００２９】
ステップ１１０の判定の結果、温度変化率ΔＴＴが未だ所定値Ａよりも大きい場合には、ステップ１１４に進んで検出回数ｉが１加算され、ステップ１０２に戻って各温度センサ２２，２４による次回の温度検出が行われる。
【００３０】
一方、ステップ１１０の判定の結果、温度変化率ΔＴＴが所定値Ａ以下の場合には、ステップ１１２に進み空気コンプレッサ２の作動が停止され、乾燥空気の空気流路１ｂへの供給が停止される。乾燥空気の供給が停止されることで空気流路１ｂの乾燥は終了する。上記の所定値Ａは、電解質膜の湿潤状態が燃料電池１の始動性を確保できる状態になったときの温度変化率に相当しており、実験等によって定められている。
【００３１】
以上のような乾燥空気の供給／停止制御ルーチンが実行されることで、空気流路１ｂの入口側の電解質膜を適正な湿潤状態に調整することができる。空気流路１ｂは乾燥空気の供給により入口側から乾燥していくため、入口側の電解質膜は過剰乾燥状態になりやすい。しかし、上記の制御ルーチンによれば、空気流路１ｂの入口側の温度変化率に基づき乾燥空気の供給停止が行われるので、空気流路１ｂ内の残留水は除去しつつ電解質膜の過剰乾燥による電解質膜抵抗の増大を防止することができる。
【００３２】
なお、図３に示すルーチンにおいて、制御装置２０によるステップ１０２、ステップ１０８及びステップ１１０の処理の実行により、第１の発明にかかる「湿潤状態判断手段」が実現されている。また、制御装置２０によるステップ１０２及びステップ１０６の処理の実行により、第２の発明にかかる「温度補正手段」が実現され、ステップ１００及びステップ１１２の処理の実行により、第１の発明及び第３の発明にかかる「乾燥ガス供給手段」が実現されている。
【００３３】
次に、図４に示すルーチンについて説明する。図４に示すルーチンは、温度センサ２２が空気流路１ｂの出口側に設置されている場合に好適な制御ルーチンである。このルーチンでも、まず、空気コンプレッサ２を作動させたままバイパス弁５が開かれることで、加湿器７を通らない乾燥空気が燃料電池１の空気流路１ｂへ供給される（ステップ２００）。
【００３４】
次に、ステップ２０２において、各温度センサ２２，２４によるｉ回目の温度検出が行われ、検出された各温度Ｔ１i，Ｔ２iはメモリに記憶される。メモリには、今回の検出温度Ｔ１i，Ｔ２iと１回目の検出温度Ｔ１1，Ｔ２1が記憶され、今回の検出温度Ｔ１i，Ｔ２iは毎回更新される。なお、各温度センサ２２，２４による温度検出は、所定の周期で行われるようになっている。
【００３５】
次のステップ２０４では、今回の検出が１回目の検出であるか否か判定される。ステップ２０４の判定で１回目の検出であると判定されたときには、ステップ２１４に進んで検出回数ｉが１加算され、ステップ２０２に戻って各温度センサ２２，２４による次回の温度検出が行われる。
【００３６】
一方、ステップ２０４の判定で１回目の検出でないと判定されたときには、ステップ２０６の処理が行われる。ステップ２０６では、今回の各温度センサ２２，２４による検出温度Ｔ１i，Ｔ２i間の温度差ＴＴiと、１回目の検出温度Ｔ１1，Ｔ２1間の温度差ＴＴ1がそれぞれ算出される。温度差ＴＴを算出するのは、図３に示すルーチンの場合と同様、気化熱による温度変化量を正確に検出するためであり、これにより、自然冷却による温度低下分が排除される。
【００３７】
次のステップ２０８では、ステップ２０６で算出された今回温度差ＴＴiと初回温度差ＴＴ1の差ΔＴＴ０（ΔＴＴ０＝ＴＴ1−ＴＴi）が算出される。ステップ２１０では、その差ΔＴＴ０と所定値Ｂが比較される。温度差ＴＴは気化熱による温度変化を示しているので、上記の差ΔＴＴ０は乾燥開始からの気化熱による温度の変化量を示している。温度センサ２２が空気流路１ｂの出口側に設置されている場合、温度センサ２２により検出される空気流路１ｂの温度Ｔ１は、図２Ｂに示すような温度変化を示す。ステップ２０８では、図２Ｂ中に示すように温度変化量ΔＴＴ０が所定値Ｂ以上になる時点ｔbを検出している。温度変化量ΔＴＴ０が生じたことは、温度センサ２２の設置部位における乾燥が始まり、水分の気化に伴い熱が奪われ始めたことを意味示している。なお、上記の所定値Ｂは温度変化が生じたか否か判定するための判定値であり、外乱等による温度センサ２２，２４の検出値の変動を考慮して設定されている。
【００３８】
ステップ２１０の判定の結果、温度変化量ΔＴＴ０が未だ所定値Ｂよりも小さい場合には、ステップ２１４に進んで検出回数ｉが１加算され、ステップ２０２に戻って各温度センサ２２，２４による次回の温度検出が行われる。
【００３９】
一方、ステップ２１０の判定の結果、温度変化量ΔＴＴ０が所定値Ｂ以上の場合には、ステップ２１２に進み空気コンプレッサ２の作動が停止され、乾燥空気の空気流路１ｂへの供給が停止される。乾燥空気の供給が停止されることで空気流路１ｂの乾燥は終了する。
【００４０】
以上のような乾燥空気の供給／停止制御ルーチンが実行されることで、空気流路１ｂの入口側の電解質膜の過剰乾燥を防止することができる。空気流路１ｂは乾燥空気の供給により入口側から乾燥していくため、出口側が乾燥し始めたときには入口側は既に十分に乾燥している可能性が高い。上記の制御ルーチンによれば、空気流路１ｂの出口側の温度変化量に基づき出口側の乾燥開始が判定され乾燥空気の供給停止が行われるので、空気流路１ｂ内の残留水は除去しつつ電解質膜の過剰乾燥による電解質膜抵抗の増大を防止することができる。
【００４１】
なお、図４に示すルーチンにおいて、制御装置２０によるステップ２０２、ステップ２０８及びステップ２１０の処理の実行により、第４の発明にかかる「湿潤状態判断手段」が実現されている。また、制御装置２０によるステップ２０２及びステップ２０６の処理の実行により、第５の発明にかかる「温度補正手段」が実現され、ステップ２００及びステップ２１２の処理の実行により、第４の発明及び第６の発明にかかる「乾燥ガス供給手段」が実現されている。
【００４２】
その他．
以上、本発明の実施の形態について説明したが、本発明は上述の実施の形態に限定されるものではなく、本発明の趣旨を逸脱しない範囲で種々変形して実施することができる。例えば、次のように変形して実施してもよい。
【００４３】
図３，図４に示すルーチンは空気流路１ｂの入口側、或いは出口側に温度センサ２２を配置した場合の例として説明したが、空気流路１ｂの中央部等に温度センサ２２が配置されている場合にも適用できる。また、空気が流れるガス流路であれば、空気流路１ｂ内のみならずオフガス排気管６内に温度センサ２２を配置してもよい。その場合、何れのルーチンを採用するかは、温度センサ２２の設置位置における温度変化と電解質膜の湿潤状態の変化とを照らし合わせて決めればよい。また、温度変化と電解質膜の湿潤状態の変化との関係に応じて、各ルーチンにおける所定値Ａ，Ｂの値を変えてもよい。さらに、温度センサ２２の設置位置の温度変化（変化率或いは変化量）と電解質膜の湿潤状態を適合させるマップを用いて、マップから電解質膜の湿潤状態を判断するようにしてもよい。なお、上述の実施の形態では、空気流路１ｂの温度変化の影響を受けない部位の温度Ｔ２を参照温度として用いているが、自然冷却による温度変化が小さい場合には参照温度Ｔ２は用いなくてもよい。
【００４４】
また、水分除去手段としては乾燥空気の供給によって空気流路１ｂの残留水を除去するものに限定されない。例えば、加熱装置によって空気流路１ｂを加熱することで残留水を除去してもよい。この場合、加熱に用いた熱量と空気流路１ｂの温度上昇に用いられた熱量との差を水分の気化により消費された熱量とみなすことができる。また、オフガス排気管６に負圧を作用させ空気流路１ｂ内の水蒸気分圧を低下させることで、水分の気化を促すようにしてもよい。
【００４５】
また、乾燥開始から温度がほとんど変化しない等、電解質膜が過剰乾燥状態にあると判断できる場合には、適正な湿潤状態になるように電解質膜に水分を与えて加湿するようにしてもよい。図１に示す構成では、バイパス弁５を閉じて加湿器７に空気を通すことで、水分を含んだ湿り空気を空気流路１ｂに供給するようにすればよい。
【００４６】
また、上述の実施の形態では、ガス流路の温度の変化によって水分の気化により消費される熱量の変化を表しているが、熱量の変化を表すことが可能なものであれば温度以外の他の物理量を用いてもよい。
【図面の簡単な説明】
【００４７】
【図１】本発明の実施の形態としての燃料電池システムの概略構成図である。
【図２Ａ】乾燥空気を供給したときの空気流路の入口側における温度変化を示す図である。
【図２Ｂ】乾燥空気を供給したときの空気流路の出口側における温度変化を示す図である。
【図３】本発明の実施の形態において実行される乾燥空気の供給／停止制御ルーチンのフローチャートである。
【図４】本発明の実施の形態において実行される乾燥空気の供給／停止制御ルーチンのフローチャートである。
【符号の説明】
【００４８】
１  燃料電池
１ａ  水素流路
１ｂ  空気流路
３  空気供給管
４  バイパス管
５  バイパス弁
６  オフガス排気管
７  加湿器
８  調圧弁
１０  水素供給管
１１  調圧弁
１２  水素循環装置
１３  水素循環管
１４  オフガス排気管
１５  パージ弁
１６  高圧水素タンク
２０  制御装置
２２，２４  温度センサ
【図１】
0004831938.tif 000002
【図２Ａ】
0004831938.tif 000003
【図２Ｂ】
0004831938.tif 000004
【図３】
0004831938.tif 000005
【図４】
0004831938.tif 000006